【手続補正書】
【提出日】平成24年1月30日(2012.1.30)
【手続補正１】
【補正対象書類名】特許請求の範囲
【補正対象項目名】全文
【補正方法】変更
【補正の内容】
【特許請求の範囲】
【請求項１】
第１のトランシーバ・エンティティと第２のトランシーバ・エンティティとの間の高レーテンシ通信リンクの一端にある通信エンティティであって、前記通信エンティティは、
前記第１のトランシーバ・エンティティと前記第２のトランシーバ・エンティティとの間の伝送制御プロトコル（ＴＣＰ）通信をサポートするための通信ロジックと、
受信セグメントを検査するためのプロキシ・ロジックとを備え、
前記プロキシ・ロジックは、前記受信セグメントがデータを含んでいないことの識別に応じて、前記プロキシ・ロジックを介して前記第１のトランシーバ・エンティティと前記第２のトランシーバ・エンティティとの間を複数の同期化セグメントが通過することをトランスペアレントに可能にするよう動作可能であり、
前記プロキシ・ロジックは、前記複数の同期化セグメント及び前記受信セグメントに基づいて少なくとも１つの肯定応答（ＡＣＫ）メッセージを局所に生成し、前記第２のトランシーバ・エンティティから通信を受け取る前に前記少なくとも１つのＡＣＫメッセージを送信するよう更に動作可能である通信エンティティ。
【請求項２】
請求項１記載の通信エンティティであって、前記プロキシ・ロジックは、後に受信されたセグメントがデータを含む場合に再同期化を行うよう更に動作可能であり、前記再同期化は、前記後に受信されたセグメントに含まれるシーケンス番号に基づく通信エンティティ。
【請求項３】
請求項２記載の通信エンティティであって、前記プロキシ・ロジックは、データを含まない何れかの後の受信セグメントを却下するよう更に動作可能な通信エンティティ。
【請求項４】
請求項１乃至３の何れか一項に記載の通信エンティティであって、前記複数の同期化セグメントが３ウェイ・ハンドシェイクを備える通信エンティティ。
【請求項５】
請求項４記載の通信エンティティであって、前記３ウェイ・ハンドシェイクは、
同期化表示（ＳＹＮ）、
同期化肯定応答表示（ＳＹＮ  ＡＣＫ）、及び
肯定応答表示（ＡＣＫ）
のうちの少なくとも１つを備える通信エンティティ。
【請求項６】
請求項１乃至５のうちの何れか一項に記載の通信エンティティであって、前記高レーテンシ通信リンクは無線データ通信システムのエア・インタフェースである通信エンティティ。
【請求項７】
請求項１乃至６の何れか一項に記載の通信エンティティであって、前記プロキシ・ロジックは、
受信ウィンドウ移動（ＭＲＷ）、及び
リセット
のうちの一方が生じた時点を求めることにより、データ・セグメントの喪失を識別するための無線リンク制御ロジックを更に備える通信エンティティ。
【請求項８】
請求項７記載の通信エンティティであって、前記無線リンク制御ロジックは、バッファ・ロジックに、動作可能に結合され、前記バッファ・ロジックは、データ・セグメント全てが、無線リンクによって制御されており、ＲＬＣによって肯定応答されている旨を前記無線リンク制御ロジックが前記バッファ・ロジックに示すまで受信データ・セグメントを記憶するよう動作可能である通信エンティティ。
【請求項９】
請求項８記載の通信エンティティであって、前記バッファ・ロジックは、前記無線リンク制御ロジックからの表示に応じて、前記バッファ・ロジックのバッファから、前記肯定応答されたデータを廃棄するよう動作可能な通信エンティティ。
【請求項１０】
請求項７乃至９の何れか一項に記載の通信エンティティであって、前記通信エンティティは、前記高レーテンシ通信リンクの受信側にあり、前記無線リンク制御ロジックは、前記無線リンク制御ロジックによって宣言されたＭＲＷ又はリセットにより、前記データ・セグメントのシーケンス番号全てが、首尾良く受信された訳でない場合に、欠落データを再送信する旨を要求するよう動作可能である通信エンティティ。
【請求項１１】
請求項７乃至９の何れか一項に記載の通信エンティティであって、前記通信エンティティは前記高レーテンシ通信リンクの送信側にあり、前記無線リンク制御ロジックは、前記高レーテンシ通信リンクを介して送出された少なくとも１つのデータ・セグメントがＭＲＷ又はリセットを受けており、よって、前記受信側のＲＬＣピア・エンティティで受信されておらず、前記バッファ・ロジックからの肯定応答されていないＲＬＣデータ・セグメントの再送信をそれに応じて開始するよう動作可能である通信エンティティ。
【請求項１２】
請求項１乃至１１の何れか一項に記載の通信エンティティであって、前記プロキシ・ロジックは、前記同期化セグメントを使用して正しく同期化された否定ＴＣＰ応答（ＮＡＣＫ）を局所的に生成するよう動作可能な通信エンティティ。
【請求項１３】
請求項８乃至１２の何れか一項に記載の通信エンティティであって、前記バッファ・ロジックは、前記複数の同期化セグメント内の
シーケンス番号（ＳＥＱ）、  
肯定応答（ＡＣＫ）番号、
ウィンドウ・スケーリング、
選択的肯定応答、及び、
タイムスタンプ
のうちの少なくとも１つのメンテナンスを観察するよう動作可能な送信バッファ・ロジック及び受信バッファ・ロジックを備える通信エンティティ。
【請求項１４】
請求項１３記載の通信エンティティであって、前記プロキシ・ロジックは、プロキシがない場合、受信側のエンティティによって実質的に生成されたであろう
シーケンス番号（ＳＥＱ）、
肯定応答（ＡＣＫ）番号、
ウィンドウ・スケーリング、
選択的な肯定応答、及び
タイムスタンプ
の以下のうちの少なくとも１つの観察されたメンテナンスに基づいて早期ＡＣＫメッセージを生成するよう動作可能である通信エンティティ。
【請求項１５】
請求項１３又は１４に記載の通信エンティティであって、前記プロキシ・ロジックは、前記ウィンドウ・スケーリングに基づいてＡＣＫメッセージ又はＮＡＣＫメッセージにおいてシグナリングされるａｗｎｄ値を受信するよう動作可能である通信エンティティ。
【請求項１６】
請求項１５記載の通信エンティティであって、前記プロキシ・ロジックは、バッファ占有量に基づいてａｗｎｄ値を算出するよう動作可能な通信エンティティ。
【請求項１７】
請求項１乃至１６の何れか一項に記載の通信エンティティであって、前記ＴＣＰ  ＡＣＫ  がデータを含まない旨を前記プロキシ・ロジックが判定することに応じて、前記高レーテンシ通信リンクを介して前記プロキシ・ロジックが、ＴＣＰ  ＡＣＫ  を終結させ、前記ＴＣＰ  ＡＣＫ  を送出しないよう動作可能な通信エンティティ。
【請求項１８】
請求項１乃至１７記載の通信エンティティであって、前記プロキシ・ロジックは、受信側のＴＣＰエンティティがその個別のＡＣＫを送信する前にＴＣＰ  ＡＣＫを送信エンティティに戻すよう動作可能な通信エンティティ。
【請求項１９】
請求項１乃至１８の何れか一項に記載の通信エンティティであって、  前記通信エンティティは、
ユーザ機器（ＵＥ）、又は
ネットワーク・エンティティであり、
前記通信ロジックは、第３世代パートナーシップ・プロジェクト（３ＧＰＰ）データ通信システムを介してＴＣＰ通信を可能にする通信エンティティ。
【請求項２０】
第１のトランシーバ・エンティティと第２のトランシーバ・エンティティとの間の高レーテンシ通信リンクの一端にある通信エンティティにおける伝送制御プロトコル（ＴＣＰ）通信をサポートするためのプロキシ・ロジックであって、
受信セグメントを検査するための検査ロジックであって、前記受信セグメントがデータを含まないということの識別に応じて、前記検査ロジックが、前記プロキシ・ロジックを介して前記第１のトランシーバ・エンティティと前記第２のトランシーバ・エンティティとの間を複数の同期化セグメントが通過することをトランスペアレントに可能にするよう動作可能である検査ロジックと、
前記複数の同期化セグメント、及び前記受信セグメントの少なくとも一方に基づいて少なくとも１つの肯定応答メッセージを生成するための肯定応答ロジックと
前記第２のトランシーバ・エンティティから通信を受け取る前に前記少なくとも１つの１つの肯定応答メッセージを送信するための送信器と
を備えるプロキシ・ロジック。
【請求項２１】
データ通信システムにおける第１のトランシーバ・エンティティと第２のトランシーバ・エンティティとの間の高レーテンシ通信リンクの一端にある通信エンティティにより、伝送制御プロトコル（ＴＣＰ）通信を提供する、コンピュータによって可能にされる方法であって、受信セグメントをＴＣＰプロキシ・ロジックによって検査する工程と、前記受信セグメントがデータを含まないとの判定に応じて、前記プロキシ・ロジックを介して前記第１のトランシーバ・エンティティと前記第２のトランシ―バ・エンティティとの間を複数の同期化セグメントが通過することをトランスペアレントに可能にする工程と、前記複数の同期化セグメント及び前記受信セグメントの少なくとも一方に基づいて少なくとも１つの肯定応答メッセージを前記プロキシ・ロジックによって局所に生成する工程と、前記第２のトランシーバ・エンティティから通信を受け取る前に前記少なくとも１つの肯定応答メッセージを送信する工程とを備える方法。
【請求項２２】
高レーテンシ通信リンクの一端にあり、第１のトランシーバ・エンティティと第２のトランシーバ・エンティティとの間の伝送制御プロトコル（ＴＣＰ）通信をサポートする通信エンティティを備えるデータ通信システムであって、前記データ通信システムは、
前記通信エンティティにあるプロキシ・ロジックを備え、前記プロキシ・ロジックは、受信セグメントを検査するよう動作可能であり、前記受信セグメントがデータを含まないということの識別に応じて、前記プロキシ・ロジックを介して前記第１のトランシーバ・エンティティと前記第２のトランシーバ・エンティティとの間を複数の同期化セグメントが通過することをトランスペアレントに可能にするよう動作可能であり、前記プロキシ・ロジックは、前記複数の同期化セグメント、及び前記受信セグメントの少なくとも一方に基づいて少なくとも１つの肯定応答メッセージを局所に生成し、前記第２のトランシーバ・エンティティから通信を受け取る前に前記少なくとも１つの肯定応答メッセージを送信するよう更に動作可能であるデータ通信システム。